(57)【要約】【課題】　従来の防犯対策は、現金、有価証券を保全することに集中しているが、犯行に際し、現金、有価証券を使えなくすることも犯罪抑止策となる。【解決手段】　現在普及している防犯カラーボールは、逃げる犯人にぶつけて割れ、蛍光塗料等を飛散させるものであるが、この発明では、塗料等の容器をマット型にし、ぶつけて割る役割をするのはエアーバッグで、犯行を感知するセンサあるいはスイッチ等を用い、無人であるいは遠隔操作でエアーバッグを作動させ、その膨張圧力で容器を破裂、内蔵の蛍光塗料等を飛散させ金庫、ＡＴＭ機、現金輸送車等の盗難事件に対応するものであって、犯行に遭った紙幣や有価証券を染色し使えなくして実害を防ぎ、犯罪の抑止力となるものであって広い分野での利用ができる。【選択図】   図１
2004118870.tif 000002
【特許請求の範囲】
【請求項１】
　袋体内に蛍光光塗料あるいは塗料（以下塗料等という）を胎蔵し、センサからの指令で起動するガス発生装置を取り付けたエアーバッグを内蔵し、センサが指令すれば、ガス発生装置の作動によりガスが発生してエアーバッグが急激に膨張し、その圧力で袋体が破裂して内部の塗料等が噴出する機能を有するものであって、噴出箇所を誘導できるようにするため袋体内面に複数の切れ目を入れた防犯カラーマット。
【請求項２】
　金庫あるいはＡＴＭ機が盗難に遭った場合、金庫あるいはＡＴＭ機の現金箱内部の最上段に設置する傾斜・衝撃感応センサを取り付けた請求項１の防犯カラーマットが、金庫あるいは現金箱が傾斜するか無理にこじ開ける際の衝撃で作動し、カラーマットの塗料等が噴出、飛散し内部の現金、有価証券等を染色して使えなくする防犯システム。
【請求項３】
　現金輸送車襲撃対応として、無線スイッチを取り付けた請求項１の防犯カラーマットを現金袋の中及び輸送車の屋根の上に設置し、現金袋を強奪された場合、無線による遠隔操作で防犯カラーマットを作動させ、現金を染色して使えなくし、現金輸送車ごと奪われた場合は、遠隔操作で輸送車の屋根の防犯カラーマットを作動させ屋根から車体を染色し追跡を容易にする防犯システム。
【請求項４】
請求項２の防犯システムに於いて、内部にある棚が塗料等の流下を妨げないようにするため棚を多孔性の金属板あるいは金網にし、経時変化で錆が出て収容物に付着することのないように錆びない材質とし、塗料等が付着して滞留することがないように表面を滑らかに表面処理あるいは加工したものであって、保管物の荷重に耐える十分な強度を持ち、かつ一定以上の大きさの保管物が落ちることのない出来るだけ広い隙間を持った金属製棚。
【発明の詳細な説明】
【技術分野】
【０００１】
この発明は、現在金融機関、郵便局等で多く見られる防犯カラーボールとは異なる塗料等の利用方法による防犯具であり、塗料等を胎蔵する容器はマット型で、塗料等を飛散させる手段はエアーバッグ式発生ガスで、金庫強奪、金庫破り、ＡＴＭ強奪、現金輸送車襲撃等の犯行を無意味にし犯罪を抑止及び防止する技術に関する。
【背景技術】
【０００２】
　従来の防犯対策は、現金、有価証券そのものを保全することに集中しているが、その対策を超える犯罪が多発している。これに対し、犯罪に際し、現金、有価証券を使えなくすることで、犯罪抑止効果を持つ対策も有効と思われる。
【０００３】
　ＡＴＭ機に於ける防犯器で、犯行に際し現金にインクを噴射し汚染して実害を防ぐ案が提出されているが、装置が大掛かりで大改造を要し、且つ電力駆動なので、電源を切られてしまうと全く使い物にならない。そこで、小型で据え付けが容易で、外部の電源に頼らない防犯装置が求められる。
【０００４】
　現金輸送車強奪事件では、有効な対策が少ない。
【特許文献１】１．特許　２９７９２８６　　　現金輸送用防犯ケース２．特許　３０２９２６２　　　犯罪防止ガス入り容器を設けた粘着テープ３．特開　０３−３８５９１　　目印材放射防犯器具４．特開　０９−１９８５８２　防犯設備５．特開　０９−１４７２５４　防犯用噴霧装置６．特開　１１−３２２６２５　防犯システム内蔵の自動取引装置
【発明の開示】
【発明が解決しようとする課題】
【０００５】
　金庫強盗、ＡＴＭ現金箱強奪あるいは現金輸送車襲撃事件等で、犯罪に遭った現金、有価証券を使えなくする。あるいは、使っても容易に追跡捜査ができ早期解決ができるようにする必要がある。
【０００６】
　金庫、ＡＴＭ機、現金輸送等の防犯の対象となる部分は色々なサイズがあり、防犯装置は幅広く対応するためにコンパクトにも大きくもでき、且つ外部電源に依存しない物にしなければならない。
【０００７】
　金庫強盗事件においては、大型金庫は、重すぎて運搬が出来ないので、こじ開けて中のものを窃取することが行われる。中型金庫は、外に運び出し、こじ開ける。小型金庫はそのまま持ち去り、人気のないところでこじ開ける。いずれも、こじ開ける際、かなりの衝撃があり、運び出すときは必ず傾ける。また、ＡＴＭ強奪事件では、かなりの衝撃と、現金箱を取り出す際、必ず傾ける。従い、この様な動作をキャッチして防犯に繋げる必要がある。
【０００８】
　現金輸送車襲撃事件では、犯人が現金袋を奪うため、警備員に危害を加えることが多く、時には人命に重大な危害が及ぶことがある。そこで人命尊重の視点での対策が求められる。また、車ごと奪われてしまうこともあり、このための対策も求められている。
【課題を解決するための手段】
【０００９】
　犯罪に遭った現金、有価証券を使えなくするには、燃やすか塗料等で汚染させることが考えられるが、燃やすのは、他に累を及ぼす怖れがあり、塗料等による汚染が有力な手段となる。
【００１０】
　発明の塗料等の容器はマット型で、犯行によって生じる傾動あるいは衝撃を感知するセンサあるいは無線スイッチで作動するエアーバッグを備え、センサあるいは無線スイッチの指示によりエアーバッグが作動、その膨張圧力でマットが破裂し中に収容している塗料等を飛散させ、犯行に遭った紙幣や有価証券を染色することにより使えなくして、犯行を無意味なものにし、実害を防ぐと共に同様犯罪の再発を防ぐ。
【００１１】
　発明の防犯カラーマットの袋体は塗料等を収容し、圧力を掛ければその塗料等が有効に飛散するよう、破裂する場所を誘導するため切れ目を入れたマットであって、エアーバッグを内蔵し、センサの指令で作動するエアーバッグ起動装置をマットに取り付け、センサが指令するとエアーバッグが作動、急激に膨張しその圧力が塗料等に伝わり、マットの切れ目が割れ、塗料等が噴出する構造とする。
【００１２】
　エアーバッグ起動装置には、センサ部、電源部及びガス発生装置があり、ガス発生装置の構造はイグナイタでアジ化ナトリュウムに点火して窒素ガスを発生させるものであり、その急激なガス発生による急膨張ガス圧を利用するものである。
【００１３】
　発明の防犯カラーマットは、プラスチック製あるいはゴム製とし、平たくしたり、細くしたり、大きくしたり、小さくしたりと自由に使用箇所に合わせて設計できるものとし、特に高さが十分でない空間でも設置ができるような設計とする。
【００１４】
　イグナイタに接続する傾斜・衝撃センサ等は、既に開発されており使用目的により傾斜感応センサや衝撃センサを単独で取り付けるかあるいは両者を並列に取り付ける。電源は外部に依存しないよう電池とする。
【００１５】
　不必要なときにマットが作動しないように電源部にメーンスイッチを設ける。
【００１６】
　請求項１の防犯カラーマットに内蔵する塗料等には、犯人及び盗難物追跡がし易いように香料を入れておく。
【００１７】
　金庫、ＡＴＭ現金箱で使用する場合、塗料等が効果的に中の現金を染色させるため防犯カラーマットを置く棚、あるいは内部を仕切るための棚は、請求項４の多孔金属製棚とする。
【００１８】
　遠隔操作でカラーマットを作動させるには、マットに受信機を取り付け、手許におく発信器で指令する。
【発明の効果】
【００１９】
　この発明が実施されると以下の点で効果が期待できる。
　１）防犯カラーマットの起動は手動でも、無人でも可能であり、利用範囲は、カラーボールと比べ格段に拡げることが出来る。
２）犯罪が無意味になることによる抑止効果で、犯罪発生減少が期待できる。
　３）塗料等に適度の香料を入れてあること、および犯行で窃取された現金、有価証券は塗料等で染色されているので、追跡捜査がし易くなる。　
　４）汚染された紙幣、有価証券は、明らかな所有権の証拠があれば、交換あるいは再発行が可能であり、塗料による汚染の損害は、現金等の交換および染色箇所の洗浄等に掛かる費用だけで犯罪成立の場合の被害に比べれば、実害は軽微である。
　５）現金輸送車が盗難に遭った場合、警備員は犯人に逆らうことなく、被害が及ばない位置で安全を確保し、犯人が現金袋を奪い程度離れたら、エアーバッグを無線機で作動させ現金を染色し、犯罪を無意味にさせることができ、拳銃を持ったような犯人に対応している丸腰の警備員等の安全対策として有効である。また、車ごと強奪された場合を想定し、無線操作で作動する防犯カラーマットを現金輸送車の屋根上に取り付けておき、逃げる時にエアーバッグを作動させ車体を染色すれば、一見して盗難車と分かり、特にヘリコプターによる上空からの犯人追跡も容易になる。
　６）防犯カラーマットは、基本構造が確保されれば、サイズは自由に設定できるので利用範囲が広い。特に高さのない空間でも設置が可能である。
【発明を実施するための最良の形態】
【００２０】
防犯エアーバッグは、衛生上無害な窒素ガスによるエアーバッグとセンサあるいは無線によるスイッチ機能を利用することにより犯行に際し瞬時に且つ無人で、あるいは遠隔操作により対応でき、従来のカラーボールと比べ防犯対策範囲を飛躍的に拡げることが出来る。
【実施例１】
【００２１】
　図１に実施例の防犯カラーマット１の構造を示す。カラーマット２とガス発生装置８、電源１１、センサ１２、メーンスイッチ１０等を一面に配置する。カラーマット２の中は２室になっており、隔壁６で区切った塗料室３とエアーバッグ室５があり、塗料室３に塗料を満たし、エアーバッグ室５にはしぼめたエアーバッグ７を置く。隔壁６は、エアーバッグ全体が作動したとき塗料室３全体に展開し易いように設けるものであって、ガス発生装置８が作動し、ガスが発生したときのガスの圧力を塗料室３に伝えられるよう弾力性があるもの、あるいは破れやすいものにする。エアーバッグ７が膨張し塗料室３の内圧が高まれば所定の場所が割れて塗料等が噴出するように塗料室の床面に切れ目４を入れておく。エアーバッグ７には、ガス発生装置８、およびイグナイタ９が付いており、それに電源１１および傾斜・衝撃センサ１２あるいは無線スイッチ１３を繋げる。電源１１は電池でカラーマット袋体の横に取り付け全体的にコンパクトなものにする。使用しないときはメーンスイッチ１０を切っておき、不慮のエアーバッグ起動を防ぐ。
【００２２】
　現金輸送車の現金袋に利用する場合、無線スイッチ１３を取り付けた防犯カラーマット１を現金袋の中に忍ばせておき、犯人が現金袋を持ち去るとき、警備員は離れたところで発信機１５のボタン１６を押して信号を発信、アンテナ１７，１４を通して無線スイッチ１３に信号を送りエアーバッグ７を作動させ現金袋の中の現金を染色する。
【００２３】
　現金輸送車の屋根に防犯カラーマット１を取り付けておき、車ごと強奪された場合、発信機１５及び受信機１３による遠隔操作でエアーバッグ７を作動させ、塗料等で車体を染色し、空からの追跡も容易にする。
【００２４】
　防犯カラーマットは、金庫やＡＴＭ機の現金箱の最上段に設置し、作動した場合、塗料等が下部まで行き渡るよう棚は、金属製棚１８を用いる。
【産業上の利用可能性】
【００２５】
　この防犯マットは、切れ目の位置や形状により、塗料等が噴出する方向は色々設定でき、農作物の盗難の場合、犯人が通ると予測される道の頭上の樹上等に、空き巣ねらいの場合、予想される場所に設置して侵入を感知する糸、通路に設置する踏み板あるいは赤外線センサなどで作動させ塗料等を噴射し犯人に降りかけることが出来れば犯人を撃退出来、また犯人の追跡が容易になるなど、農作物の防犯や空き巣対策にも利用出来る。
【図面の簡単な説明】
【００２６】
【図１】防犯カラーマットの例　マットとエアーバッグ装置、センサ、スイッチ、電池などコンパクトに組み立てる。
【図２】防犯カラーマットの遠隔操作装置の例
【図３】金庫、ＡＴＭ機用金属棚の例
【図４】金属棚を装着した金庫の内部正面の例
【符号の説明】
【００２７】
　１防犯カラーマット
　 　　　　２カラーマット　　　
　  ３塗料室　　　　 　   　　　　４マットの切れ目
５バッグ室　 　　　 　  　　  ６隔壁
７エアーバッグ　 　  　 　　　８ガス発生装置
９スクィーブ 　      　
　  １０メーンスイッチ　
１１電池　                　  １２傾斜・衝撃センサ
１３受信機兼スイッチ　     　 １４アンテナ
１５発信器　　　  　　 　　   １６スイッチ
１７アンテナ　　　　　　　　　１８金属棚
【図１】
2004118870.tif 000003
【図２】
2004118870.tif 000004
【図３】
2004118870.tif 000005
【図４】
2004118870.tif 000006